(57)【要約】  血管を検出するための照明光を照射する血管センシング用レーザ光源（３１）と、被検体からの照明光の戻り光を検出する光検出器（３３）と、光検出器（３３）の検出結果に基づき、血管中の血球の散乱情報と血管中の血液による吸収情報との少なくとも一方を算出する光学特性処理回路（４１）と、光学特性処理回路（４１）の算出結果に基づき血管の特徴を判定する血管特徴判定回路（４２）と、血管特徴判定回路（４２）により判定された血管の特徴に基づいて報知を行うガイド用レーザ光源（３２）と、を有する医療装置。
2016170897.tif 000002
【特許請求の範囲】
【請求項１】
被検体の体腔内に挿入される挿入物に接続され、前記被検体の血管を検出するための照明光を照射する照明部と、
前記照明部により照射された前記照明光の前記被検体の体腔内からの戻り光を検出する検出部と、
前記検出部の検出結果に基づき、前記血管中の血球の散乱情報と前記血管中の血液による吸収情報との少なくとも一方を算出する算出部と、
前記算出部の算出結果に基づき前記血管の特徴を判定する判定部と、
前記判定部により判定された前記血管の特徴に基づいて報知を行う報知部と、
を有することを特徴とする医療装置。
【請求項２】
前記算出部が前記散乱情報を算出する場合には、該算出部は、前記戻り光の周波数スペクトルを解析し、さらに前記周波数スペクトルから前記血管内の血球の流れる速度に関するパラメータを前記散乱情報として算出し、
前記判定部は、前記算出部により算出された前記パラメータに基づき、前記血管の太さと、前記血管が動脈と静脈との何れであるかと、前記血管の前記被検体における深さと、の内の少なくとも１つを、前記血管の特徴として判定することを特徴とする請求項１に記載の医療装置。
【請求項３】
前記判定部は、前記血管の特徴を複数判定し、
前記報知部は、前記判定部により判定された複数の前記血管の特徴の組み合わせに応じて、複数の報知態様による報知を組み合わせて行うことを特徴とする請求項２に記載の医療装置。
【請求項４】
前記報知部は、
前記被検体における前記照明光が照射される照射領域を含む照射近傍領域に照射するための第１の波長の報知光と、前記照射近傍領域に照射するための前記第１の波長とは異なる第２の波長の報知光と、を選択的に発生可能な発光部と、
前記判定部により判定された前記血管の特徴が第１の特徴である場合に、第１の報知方法として前記第１の波長の報知光を発光するように前記発光部を制御し、前記判定部により判定された前記血管の特徴が前記第１の特徴とは異なる第２の特徴である場合に、前記第１の報知方法とは異なる第２の報知方法として前記第２の波長の報知光を発光するように前記発光部を制御する制御部と、
を有することを特徴とする請求項２に記載の医療装置。
【請求項５】
前記制御部は、前記第１または第２の特徴の程度に応じて、前記第１または第２の波長の報知光のエネルギー密度を変化させるように前記発光部を制御することを特徴とする請求項４に記載の医療装置。
【請求項６】
前記制御部は、前記第１または第２の特徴の程度に応じて、前記第１または第２の波長の報知光をパルス光とすると共にパルス周期を変化させるように前記発光部を制御することを特徴とする請求項４に記載の医療装置。
【請求項７】
前記発光部は、前記第１の波長の報知光として青色の光を発生し、前記第２の波長の報知光として緑色の光を発生することを特徴とする請求項４に記載の医療装置。
【請求項８】
前記照明部は、前記照明光としてレーザ光を発生するレーザ光源を含み、
前記被検体の組織を切開可能な処置デバイスをさらに有することを特徴とする請求項１に記載の医療装置。
【請求項９】
血管封止能力が異なる複数の動作モードで動作可能な処置デバイスと、
前記判定部により判定された前記血管の特徴に応じて、前記処置デバイスの動作モードを切り換えるように制御する制御部と、
をさらに有することを特徴とする請求項１に記載の医療装置。
【請求項１０】
前記算出部は、前記血管内の血球の流れる速度に関するパラメータとして、前記周波数スペクトルの強度の積分値、または前記周波数スペクトルの傾き、または前記周波数スペクトルの平均周波数を算出することを特徴とする請求項２に記載の医療装置。
【請求項１１】
被検体の体腔内に挿入される挿入物に接続される照明部が、前記被検体の血管を検出するための照明光を照射するステップと、
検出部が、前記照明部により照射された前記照明光の前記被検体の体腔内からの戻り光を検出するステップと、
算出部が、前記検出部の検出結果に基づき、前記血管中の血球の散乱情報と前記血管中の血液による吸収情報との少なくとも一方を算出するステップと、
判定部が、前記算出部の算出結果に基づき前記血管の特徴を判定するステップと、
報知部が、前記判定部により判定された前記血管の特徴に基づいて報知を行うステップと、
を有することを特徴とする医療装置の作動方法。
【発明の詳細な説明】
【技術分野】
【０００１】
本発明は、照明光の戻り光から血管に関連する情報を取得する医療装置、医療装置の作動方法に関する。
【背景技術】
【０００２】
例えば腹腔鏡手術において、術中出血を回避することは基本的なユーザニーズである（血管の存在を把握できずにブラインドで切開を進めることはリスクが大きい）。しかし、血管をきちんと把持できていない状態では止血能力の優れたデバイスであっても十分な血管封止能力を発揮することはできない。従って、血管走行が不明瞭な状況下では、慎重に組織の剥離を進める必要がある。【０００３】
以下では、幾つかの臨床例について説明する。【０００４】
横行結腸は静脈が豊富であり、血管走行バリエーションが非常に多彩である。そして、横行結腸手術では、一旦出血すると止血が困難であり、止血するのに時間を要する。従って、手術においては、横行結腸の周囲をいかに出血させずに切開できるかがポイントとなる。【０００５】
また、腸間膜内の脂肪組織が厚い部分では、血管を同定するのが難しい。そこで、手術に際しては、デバイス（エネルギーデバイスを含む）を慎重に脂肪に当接させて移動し、脂肪を鋭的あるいは鈍的に剥離して血管を露出させることにより、血管を同定するという繊細な手技を行っている。従って、例えば中結腸動脈や下腸間膜動脈、あるいはこれらの動脈からの分岐血管などの比較的太い血管がどのように走行しているかを、内視鏡の観察視野下で確認することは、安全性を確保する観点から重要である。【０００６】
これらの例からも分かるように、血管を視覚的に認識できるようにすることは、手術の安全化と簡便化に大きく貢献することになる。【０００７】
そこで従来より、血管をレーザなどの光でセンシングする機能を搭載したデバイスが開示されている。【０００８】
例えば、ＷＯ２０１３／１３４４１１号公報には、血管をレーザなどの光でセンシングする機能を搭載したデバイスが開示されている。具体的に、レーザドップラ速度計を含むこと、閾値よりも大きな直径の血管を検出するとアラーム信号を発生すること、アラーム表示を生成すること、デバイス先端のＬＥＤは、点灯／フラッシュ発光／色変更ができること、センシング値に応じてエネルギーアプリケータを停止させる（オン／オフ制御におけるオフ制御をする）こと、などが記載されている。【０００９】
上記ＷＯ２０１３／１３４４１１号公報に記載されたような情報だけでなく、血管に関するより詳細な情報を取得して、安全性や簡便性をより向上することが望ましい。【００１０】
本発明は上記事情に鑑みてなされたものであり、血管に関するより詳細な情報を取得して、医療の安全性や簡便性を向上させることができる医療装置、医療装置の作動方法を提供することを目的としている。
【発明の開示】
【課題を解決するための手段】
【００１１】
本発明のある態様による医療装置は、被検体の体腔内に挿入される挿入物に接続され、前記被検体の血管を検出するための照明光を照射する照明部と、前記照明部により照射された前記照明光の前記被検体の体腔内からの戻り光を検出する検出部と、前記検出部の検出結果に基づき、前記血管中の血球の散乱情報と前記血管中の血液による吸収情報との少なくとも一方を算出する算出部と、前記算出部の算出結果に基づき前記血管の特徴を判定する判定部と、前記判定部により判定された前記血管の特徴に基づいて報知を行う報知部と、を有している。【００１２】
本発明のある態様による医療装置の作動方法は、被検体の体腔内に挿入される挿入物に接続される照明部が、前記被検体の血管を検出するための照明光を照射するステップと、検出部が、前記照明部により照射された前記照明光の前記被検体の体腔内からの戻り光を検出するステップと、算出部が、前記検出部の検出結果に基づき、前記血管中の血球の散乱情報と前記血管中の血液による吸収情報との少なくとも一方を算出するステップと、判定部が、前記算出部の算出結果に基づき前記血管の特徴を判定するステップと、報知部が、前記判定部により判定された前記血管の特徴に基づいて報知を行うステップと、を有する方法である。
【図面の簡単な説明】
【００１３】
【図１】本発明の実施形態における医療装置の構成例を示す図。
【図２】本発明の実施形態における切開デバイスの先端部の構成を示す斜視図。
【図３】本発明の実施形態における医療装置の作用を示すフローチャート。
【図４】本発明の実施形態において、拍動により周波数スペクトルが時間変動する様子を示す線図。
【図５】本発明の実施形態において、血管の太さに応じて周波数スペクトルが異なる例を示す線図。
【図６】本発明の実施形態において、血管の深度に応じて周波数スペクトルが異なる例を示す線図。
【図７】本発明の実施形態において、切開デバイスのハンドル部付近における血管の太さの判定に係る操作部材の配置例を示す図。
【図８】本発明の実施形態において、切開デバイスのハンドル部付近における動脈／静脈の判定に係る操作部材の配置例を示す図。
【図９】本発明の実施形態において、血管が、動脈のみ、静脈のみ、動脈および静脈、の何れであるかに応じて平均周波数スペクトルが異なる様子を示す線図。
【図１０】本発明の実施形態において、拍動による動脈の周波数スペクトルの時間変動の例を示す線図。
【図１１】本発明の実施形態において、静脈および動脈が存在するときの吸光度を示す線図。
【図１２】本発明の実施形態において、動脈のみが存在するときと、静脈および動脈が存在するときと、の吸光度を対比して示す線図。
【図１３】本発明の実施形態において、静脈血と動脈血の吸収スペクトルの波長依存性を、ヘモグロビンＨｂおよび２酸化ヘモグロビンＨｂＯ2 の吸収スペクトルの波長依存性と共に示す線図。
【図１４】本発明の実施形態において、動脈（または動脈と静脈の並走）を検出して例えば緑色のガイド光をガイド用レーザ光源から被検体へ照射したときのモニタ表示の例を示す図。
【図１５】本発明の実施形態において、静脈を検出して青色のガイド光をガイド用レーザ光源から被検体へ照射したときのモニタ表示の例を示す図。
【図１６】本発明の実施形態において、血管センシング用レーザ光源として、３波長照射型のレーザ光源を用いた構成例を示す図。
【図１７】本発明の実施形態において、切開デバイスのハンドル部付近にターゲット血管の深さを設定する操作部材を配置した例を示す図。
【図１８】本発明の実施形態において、動脈に緑色のガイド光を、静脈に青色のガイド光を照射し、さらに、血管の太さが太いほど青または緑の彩度を高くする例を示す図。
【図１９】本発明の実施形態において、動脈に沿って緑色のガイド光を複数回照射すると共に、静脈に沿って青色のガイド光を複数回照射して得られた画像を重畳して、動脈および静脈を表示する例を示す左側面図。
【図２０】本発明の実施形態において、動脈に沿って緑色のガイド光を複数回照射すると共に、静脈に沿って青色のガイド光を複数回照射して得られた画像を重畳して、動脈および静脈を表示する例を示す正面図。
【図２１】本発明の実施形態において、動脈に沿って緑色のガイド光を複数回照射すると共に、静脈に沿って青色のガイド光を複数回照射して得られた画像を重畳して、動脈および静脈を表示する例を示す平面図。
【図２２】本発明の実施形態において、コレステロールなどにより血管に動脈硬化の領域が生じ、血流の流速が変化している例を示す図。
【図２３】本発明の実施形態において、血流が相対的に速い動脈硬化部分と、血流が相対的に遅い動脈硬化以外の部分と、を異なる色のガイド光で色分けする例を示す図。
【図２４】本発明の実施形態において、脳動脈に脳動脈瘤が生じて、脳動脈瘤内に血流が発生している様子を示す図。
【図２５】本発明の実施形態において、血流が相対的に遅い脳動脈瘤部分と、血流が相対的に速い脳動脈瘤以外の部分と、を異なる色のガイド光で色分けする例を示す図。
【図２６】本発明の実施形態において、脳動脈瘤にクリッピング処置を行って、脳動脈瘤内における血流が停止している様子を示す図。
【図２７】本発明の実施形態において、クリッピング処置により血流が停止した脳動脈瘤部分と、血流が相対的に速い脳動脈瘤以外の部分と、のガイド光による色分けの例を示す図。
【図２８】本発明の実施形態において、脳動脈瘤以外の脳動脈にクリッピング処置を行ってしまい、脳動脈に血流が阻害される部分が生じている様子を示す図。
【図２９】本発明の実施形態において、クリッピング処置により血流が停止した脳動脈瘤部分および血流が阻害された脳動脈と、血流が相対的に速い血流が阻害されていない脳動脈と、のガイド光による色分けの例を示す図。
【図３０】本発明の実施形態において、脳動脈瘤へのクリッピング処置が不十分であるために、脳動脈瘤内に血流が残っている様子を示す図。
【図３１】本発明の実施形態において、不十分なクリッピング処置により遅い血流が残っている脳動脈瘤部分と、血流が相対的に速い脳動脈瘤以外の部分と、のガイド光による色分けの例を示す図。
【図３２】本発明の実施形態において、切開デバイスのハンドル部付近における、センシング用レーザ光を発振させるための操作部材の配置の一例を示す図。
【図３３】本発明の実施形態において、切開デバイスの先端部からセンシング用レーザ光を軸方向に出力する例を示す図。
【図３４】本発明の実施形態において、切開デバイスの先端部の下ジョーから上ジョーへ向けてセンシング用レーザ光を出力する例を示す図。
【発明を実施するための最良の形態】
【００１４】
以下、図面を参照して本発明の実施の形態を説明する。【００１５】
［実施形態］
図１から図３４は本発明の実施形態を示したものである。【００１６】
［医療装置］
まず、図１〜図６を参照して、医療装置について説明する。【００１７】
ここに、図１は、医療装置の構成例を示す図である。【００１８】
本実施形態の医療装置は、例えば、切開デバイス１と、電源装置２と、光筐体３と、信号処理装置４と、を備えている。【００１９】
切開デバイス１は、被検体の体腔内に挿入される挿入物であって、被検体に熱、光、電流などのエネルギーを印加して被検体の組織を切開可能な処置デバイス（エネルギーデバイス）であり、さらに必要に応じて、被検体を封止する処置機能（例えば、抵抗加熱エネルギーによる封止機能）を備えている。また、切開デバイス１は、好ましくは、血管封止能力が異なる複数の動作モード（例えば高周波焼灼（ＨＦ）や超音波凝固切開（ＵＳ）等の動作モード）で動作可能な処置デバイスであると良い。【００２０】
この切開デバイス１は、被検体に挿入される挿入部１０と、この挿入部１０の先端部に設けられた処置部１１と、切開デバイス１を操作するためのハンドル部１２と、を備え、さらに基端側から処置部１１側の先端部へ向けて、光ファイバ３０が挿通されている。【００２１】
ここで、図２は、切開デバイス１の先端部の構成を示す斜視図である。【００２２】
切開デバイス１の挿入部１０の先端部には、例えば、被検体を挟み込んで処置するための上ジョー１１ａおよび下ジョー１１ｂ（例えば図３３、図３４参照）を備える処置部１１が設けられており、この処置部１１の近傍に、先端が露呈するように（すなわち、被検体へ向けてレーザ光を照射可能となるように）光ファイバ３０が配置されている。【００２３】
電源装置２は、切開デバイス１に対して、処置用のエネルギーを供給する。【００２４】
光筐体３は、上述した光ファイバ３０の基端側が接続されていて、光ファイバ３０にレーザ光を供給するものである。具体的に、光筐体３は、血管センシング用レーザ光源３１と、ガイド用レーザ光源３２と、光検出器３３と、を備えている。【００２５】
血管センシング用レーザ光源３１は、被検体の血管を検出するための照明光（センシング用レーザ光）を照射する照明部である。この血管センシング用レーザ光源３１は、少なくとも１種類の波長のレーザ光を発生する半導体光源装置として構成され、発生されたレーザ光は、血管センシングのためのセンシング用レーザ光として光ファイバ３０の先端（従って、光ファイバ３０の先端が配置されている切開デバイス１の先端部）から被検体へ照射される。【００２６】
ガイド用レーザ光源３２は、後述するような判定部である血管特徴判定回路４２により判定された血管の特徴に基づいて、報知を行う報知部である。具体的に、ガイド用レーザ光源３２は、血管の特徴に応じた色分けガイドを行うための報知光としてのガイド用レーザ光（適宜、ガイド光という）を発生する。このガイド光も、光ファイバ３０を介して被検体へ照射される。従って、ガイド用レーザ光源３２は、被検体における照明光が照射される照射領域を含む照射近傍領域に照射するための第１の波長の報知光（例えば、青色の光）と、照射近傍領域に照射するための第１の波長とは異なる第２の波長の報知光（例えば、緑色の光）と、を選択的に発生可能な発光部ともなっている。【００２７】
光検出器３３は、照明部である血管センシング用レーザ光源３１により照射されたセンシング用レーザ光の、被検体の体腔内からの戻り光（反射光）を検出する検出部である。【００２８】
信号処理装置４は、光筐体３により照射したセンシング用レーザ光と、被検体からの戻り光と、を分析して、被検体の血管の特徴を推定し、さらに、推定した血管の特徴に応じて、光筐体３により照射するガイド光を制御するものである。具体的に、信号処理装置４は、光学特性処理回路４１と、血管特徴判定回路４２と、ガイド光発振信号送信部４３と、を備えている。【００２９】
光学特性処理回路４１は、光検出器３３から出力された検出信号に基づいて、血管中の血球（具体的には、ヘモグロビンを含む赤血球）の散乱情報（血流速、拍動などの情報に関するドップラ周波数スペクトル（以下、単に周波数スペクトルという））と、血管中の血液による吸収情報と、の少なくとも一方を算出する算出部である。【００３０】
具体的には光学特性処理回路４１は、光検出器３３から出力された検出信号を周波数解析して周波数スペクトルを算出し、周波数スペクトルにおける面積（周波数スペクトルの強度の積分値）、または周波数スペクトルの傾き、または周波数スペクトルの平均周波数を算出することで、血管中の血球が流れる速度に関する情報を算出することが可能である。【００３１】
血管特徴判定回路４２は、上述した光学特性処理回路４１により算出された情報に基づいて、血管の有無を判定すると共に、血管が存在すると判定した場合にはさらに、血管の特徴（血管の性状など）として、血管の太さと、血管が動脈と静脈との何れであるかと、血管の深さと、の内の少なくとも１つを判定する判定部である。【００３２】
なお、照明部により照射された照明光の被検体からの戻り光のスペクトルを検出して、スペクトルに基づき照明光が被検体に照射される照射領域における血管の特徴として、血管の太さ情報と、血管の深さ情報と、血管が動脈と静脈との何れであるかを示す血管の種類情報と、の内の少なくとも１つを取得する情報取得部は、光検出器３３、光学特性処理回路４１、および血管特徴判定回路４２を含んで構成されている。【００３３】
ガイド光発振信号送信部４３は、判定部である血管特徴判定回路４２により判定された血管の特徴が第１の特徴である場合に、第１の報知方法として第１の波長の報知光を発光するように発光部を制御し、血管特徴判定回路４２により判定された血管の特徴が第１の特徴とは異なる第２の特徴である場合に、第１の報知方法とは異なる第２の報知方法として第２の波長の報知光を発光するように発光部を制御する制御部である。具体的に、ガイド光発振信号送信部４３は、血管特徴判定回路４２により判定された血管の特徴に応じて、ガイド光を発振させるためのトリガ信号を光筐体３のガイド用レーザ光源３２へ送信する。【００３４】
なお、図１に示した構成以外に、被検体を観察するために、被検体の体腔内に挿入される挿入物である例えば腹腔鏡（ラパロ）等の内視鏡、および内視鏡画像や各種情報を観察するためのモニタ等がさらに配置されているものとして、以下の説明を行う。【００３５】
次に、図３は、医療装置の作用を示すフローチャートである。【００３６】
図示しないメイン制御処理から、この処理に入ると、血管センシング用レーザ光源３１からセンシング用レーザ光を発振して、図１の矢印Ａ１に示すように、光ファイバ３０を介して切開デバイス１の先端側へ伝送し、被検体へ向けて照射する。さらに、被検体からの戻り光を光ファイバ３０の先端から受光して、光ファイバ３０を介して矢印Ａ２に示すように光筐体３へ伝送し、光検出器３３で検出を行って検出信号を生成する（ステップＳ１）。【００３７】
光検出器３３により生成された検出信号は、矢印Ａ３に示すように、光筐体３から信号処理装置４へ送信される（ステップＳ２）。【００３８】
検出信号を受信した信号処理装置４は、光学特性処理回路４１が、検出信号に基づいて、血管中の血球（具体的には、ヘモグロビンを含む赤血球）の散乱情報（血流速、拍動などの情報に関する周波数スペクトル）と、血管中の血液による吸収情報と、の少なくとも一方を算出し、算出結果を血管特徴判定回路４２へ送信する（ステップＳ３）。【００３９】
血管特徴判定回路４２は、光学特性処理回路４１から受信した情報に基づいて、血管が検出されたか否かを判定する（ステップＳ４）。【００４０】
ここで、血管が検出されない場合には、信号処理装置４は、血管が検出されないことを、矢印Ａ４に示すように光筐体３へ送信する。これにより、上述したステップＳ１へ戻って、光筐体３は、血管センシング用レーザ光源３１からセンシング用レーザ光を発振して、矢印Ａ５に示すよう光ファイバ３０を介して切開デバイス１の先端側へ伝送し、被検体へ向けて照射する。そして、上述したように血管の検出を引き続き行う。【００４１】
また、ステップＳ４において血管が検出された場合には、血管特徴判定回路４２は、さらに、拍動による周波数スペクトルの時間変動（図４参照）と血液による吸収情報との少なくとも一方に基づいて血管が動脈と静脈との何れであるかを判定すること（ステップＳ５）と、周波数スペクトルの平均周波数から血管の太さを判定する（図５参照）こと（ステップＳ６）と、周波数スペクトルの積分値から血管の深さを判定する（図６参照）こと（ステップＳ７）と、の内の少なくとも１つを実行する。【００４２】
ここに、図４は拍動により周波数スペクトルが時間変動する様子を示す線図、図５は血管の太さに応じて周波数スペクトルが異なる例を示す線図、図６は血管の深度に応じて周波数スペクトルが異なる例を示す線図である。【００４３】
図４に示すように、血管が動脈である場合には周波数スペクトルが時間的に変化する一方、血管が静脈である場合には動脈のような周波数スペクトルの顕著な時間的変化が生じない。従って、周波数スペクトルの時間的変化の有無に基づき、血管が動脈であるか静脈であるかを判定することができる。【００４４】
そこで、信号処理装置４は、血管を有する被検体からの光の周波数スペクトルを示す情報が入力される入力部と、入力部に入力された周波数スペクトルを示す情報の時間変動を監視して、時間変動が所定の閾値を越えた場合に、閾値越えとして検出する変動監視部と、変動監視部により閾値越えが検出された場合に、血管が動脈であることを示す情報を出力し、閾値越えが検出されない場合に、血管が静脈であることを示す情報を出力する出力部と、を有するプロセッサとして機能するようになっている。【００４５】
また、図５に示すように、血管が細い場合には血流速が遅いために、周波数スペクトルの対数強度は周波数が高くなるにつれて急速に低下するが、血管が太い場合には血流速が速いために、周波数スペクトルの対数強度の、周波数に従った低下の度合いはより緩やかである。そこで、ここでは、周波数スペクトルの例えば平均値を算出することで、血管の太さを判定するようにしている。【００４６】
さらに、図６に示すように、深度が浅い血管は、深度が深い血管よりも、同一周波数において周波数スペクトルの対数強度が高くなる。そこで、ここでは、周波数スペクトルの積分値を算出して、血管の深さを判定するようにしている。【００４７】
こうして、血管特徴判定回路４２は、上記各判定結果に基づいて、センシング用レーザ光の照射領域内に、血管が存在するか否かと、血管の特徴（太さ、深さ、動脈／静脈）と、を判定する（ステップＳ８）。【００４８】
さらに、ガイド光発振信号送信部４３が、血管特徴判定回路４２により判定された血管の特徴（太さ、深さ、動脈／静脈）に応じて、ガイド光を発振させるためのトリガ信号（なお、このトリガ信号は、血管がないと判定された場合には送信されない）を矢印Ａ４に示すように光筐体３のガイド用レーザ光源３２へ送信する。これにより、ガイド用レーザ光源３２から、血管の特徴に応じたガイド光が発信され、ターゲットとする血管（ターゲット血管）へ照射される（ステップＳ９）。さらに、光筐体３は、信号処理装置からの血管の特徴の判定結果を受けて、電源装置２へ矢印Ａ６に示すような制御信号を出力する。これにより、電源装置２は、切開デバイス１へ出力する電力を、矢印Ａ７に示すように、血管の特徴に応じた電力へ変更する。【００４９】
その後、図示しないメイン制御処理へリターンして、引き続き血管センシングを行う場合には、メイン制御処理からこの処理に再び入ることになる。【００５０】
［血管の太さの判定］
次に、図７は、切開デバイス１のハンドル部１２付近における血管の太さの判定に係る操作部材の配置例を示す図である。【００５１】
ハンドル部１２は、被検体の組織を切開する操作を行う操作部であり、それぞれが指環を有する第１ハンドル１２ａおよび第２ハンドル１２ｂをヒンジ機構によって開閉して操作する構造となっている。第１ハンドル１２ａの基端部の挿入方向側には第１ボタン部１３が、第１ハンドル１２ａの先端部の第２ハンドル１２ｂ側には第２ボタン部１４が、第１ハンドル１２ａおよび第２ハンドル１２ｂを支持する本体の第２ハンドル１２ｂよりも手元側の側面には第１スライド部１５が、第１ハンドル１２ａおよび第２ハンドル１２ｂを支持する本体の上面には第２スライド部１６が、それぞれ設けられている。【００５２】
これらの第１ボタン部１３、第２ボタン部１４、第１スライド部１５、および第２スライド部１６は、ハンドル部１２を操作する手で操作可能な位置に設けられていて、全てを設ける必要があるわけではなく、少なくとも１つ設けられていれば良い。そして、これらの第１ボタン部１３、第２ボタン部１４、第１スライド部１５、および第２スライド部１６は、例えば、ターゲット血管の太さを設定する操作部として用いられる。【００５３】
この場合に、例えば第１スライド部１５および第２スライド部１６には、血管の太さを示す指標「１ｍｍ」、「３ｍｍ」、「５ｍｍ」が、必要に応じて「Thickness」（太さ）の文字と共に記載されている。そして、例えば第１スライド部１５を術者の親指で上下にスライドして（あるいは第２スライド部１６を術者の人差し指で前後にスライドして）何れかの指標の位置に一致させることで、指標により指定される太さの血管（もしくは、指標により指定される太さ（血管径の閾値）以上の太さの血管）をセンシングするように医療装置が設定されるようになっている。【００５４】
また、第１ボタン部１３や第２ボタン部１４を押すことで、所定の太さの血管を検出するように設定しても良い。【００５５】
従って、第１ボタン部１３、第２ボタン部１４、第１スライド部１５、および第２スライド部１６は、操作部であるハンドル部１２に配置され、情報取得部により取得される血管の太さ情報の閾値を変更可能な閾値切換部となっている。【００５６】
そして、上述したように太さが検出された血管に対して、ガイド用レーザ光源３２によりガイド光を照射してガイド表示を行う場合には、例えば、次のように行う。【００５７】
血管が太い場合（例：直径２ｍｍ以上）には、緑色のガイド光を被検体へ照射し、血管が細い場合（例：直径２ｍｍ未満）には、青色のガイド光を被検体へ照射する。また、血管が太い場合のみ、緑色のガイド光を被検体へ照射するようにしても良いし、緑色のガイド光を点滅して被検体へ照射し、点滅表示を行うようにしても構わない。【００５８】
さらに、ガイド用レーザ光源３２内の緑色レーザ光源と青色レーザ光源の発光比率を変化させて、血管の太さに応じた色分け表示を行うようにしても良い。具体例としては、太い血管に緑色のガイド光を照射し、中位の太さの血管に青緑色のガイド光を照射し、細い血管に青色のガイド光を照射して色分け表示する等である。【００５９】
加えて、ハンドル部１２等の操作によってターゲット血管がある血管から他の血管に切り替わるのに連動して、信号処理結果を得るための閾値を変更すること、信号処理における積算処理の回数や判定ステップを変更すること（例えば、ターゲット血管が細いときに、積算回数や判定ステップを多くする等）、信号処理結果に応じて電源装置２から切開デバイス１に供給する電力（例えば、レーザ光源出力）をアップ／ダウンし変更すること、などの設定を医療装置全体として更新するようになっている。【００６０】
また、血管が太い場合には、細い場合よりも出血時のリスクが高い。そこで、切開デバイス１が、血管封止能力と切開能力との両方を備える場合に、太い血管が検出されたときには血管封止能力と切開能力とを両立させるモードに電源装置２を自動設定し、細い血管が検出されるかあるいは血管が検出されないときには切開能力を重視したモードに電源装置２を自動設定すると良い。この場合には、信号処理装置４と光筐体３との少なくとも一方が、判定部である血管特徴判定回路４２により判定された血管の特徴に応じて、処置デバイスの動作モードを切り換えるように制御する制御部として機能する。そしてこれにより、術者の判断に依存することなく、効果的な処置を行うことができる。【００６１】
［血管の種類（動脈／静脈）の判定］
図８〜図１５を参照して、血管の種類（動脈／静脈）の判定について説明する。【００６２】
次に、図８は、切開デバイス１のハンドル部１２付近における動脈／静脈の判定に係る操作部材の配置例を示す図である。【００６３】
動脈／静脈の判定に関しては、ターゲット血管の特徴の閾値を設定するための操作部材として例えば第１スライド部１５および第２スライド部１６が用いられ、第１ボタン部１３および第２ボタン部１４は電源装置２による電力印加のトリガ信号発生用に用いるようになっている（ただし、第１ボタン部１３と第２ボタン部１４との少なくとも一方を、ターゲット血管の特徴の閾値を設定するための操作部材として用いても構わない）。従って、ターゲット血管の特徴の閾値を設定するための操作部材としては、第１スライド部１５と第２スライド部１６との両方を設ける必要があるわけではなく、少なくとも１つ設けられていれば良い。【００６４】
この場合に、例えば第１スライド部１５および第２スライド部１６には、血管の種類を示す指標「Vein」（静脈）、「Artery」（動脈）が記載されている。そして、例えば第１スライド部１５を術者の親指で上下にスライドして（あるいは第２スライド部１６を術者の人差し指で前後にスライドして）何れかの指標の位置に一致させることで、指標により指定される種類の血管をセンシングするように医療装置が設定されるようになっている。ここに、第１スライド部１５または第２スライド部１６が、「Vein」の位置にスライドされた場合には検出対象が静脈に設定され、「Artery」の位置にスライドされた場合には検出対象が動脈（または、動脈と静脈の並走）に設定されるようになっている。従って、設定された検出対象以外の血管は、検出対象から外される。【００６５】
こうして、第１スライド部１５および第２スライド部１６は、操作部であるハンドル部１２に配置され、情報取得部により取得される血管の種類情報の閾値を変更可能な閾値切換部となっている。【００６６】
ここに、ターゲット血管の走行状態には、（１）動脈単体で走行、（２）静脈単体で走行、（３）動脈静脈が並走、の３パターンがある。【００６７】
そこで、（１）または（２）を検出するだけでなく、さらに「Vein」と「Artery」の指標の間に例えば「Vein+Artery」の指標を追加して（３）のみを検出するようにしても良い。【００６８】
図９は、血管が、動脈のみ、静脈のみ、動脈および静脈、の何れであるかに応じて平均周波数スペクトルが異なる様子を示す線図である。【００６９】
周波数スペクトルの平均周波数には、図９に示すように、
静脈単体＜動脈静脈が並走＜動脈単体
という関係が生じる。従って、平均周波数に基づいて、ターゲット血管が、動脈のみ、静脈のみ、動脈および静脈、の何れであるかを判定することができる。そして、判定結果に基づいて、電源装置２から切開デバイス１に供給する電力を変更する。【００７０】
一方、検出対象が、動脈（または、動脈と静脈の並走）であるか、あるいは静脈のみであるか、を判定すれば良い場合には、例えば図１０に示すように行う。【００７１】
ここに、図１０は、拍動による動脈の周波数スペクトルの時間変動の例を示す線図である。【００７２】
ターゲット血管が動脈（または、動脈と静脈の並走）と静脈との何れであるかの判定は、拍動による周波数スペクトルの時間変動があるか否かに基づいて行う。動脈（または、動脈と静脈が並走しているとき）は、図１０に示すように、拍動に連動して周波数スペクトルが上下に変動する。一方、静脈は拍動がないために、拍動による周波数スペクトルの上下変動は起こらない。【００７３】
従って、周波数スペクトルの時間変動を検出して、検出された場合には動脈（または、動脈と静脈の並走）であると判定し、検出されない場合には静脈であると判定することができる。具体的に、血管特徴判定回路４２は、例えば平均周波数を算出して、算出した平均周波数が時間変動する場合は動脈（または、動脈と静脈の並走）、変動しない場合は静脈と判定する。【００７４】
なお、動脈（または、動脈と静脈の並走）と静脈との判定を、拍動による吸光度の時間変動特性に基づき行っても良い。【００７５】
ここに、図１１は、静脈および動脈が存在するときの吸光度を示す線図である。【００７６】
動脈は、拍動に応じて光が照射される領域の体積が変化するために吸光度が時間的に変動する（図１１の波形ａ参照）が、静脈は、拍動がないため吸光度は時間的に変動しない（図１１の波形ｂ参照）。【００７７】
従って、吸光度に関する波形ａが得られたときには、ターゲット血管が、動脈単体、または動脈と静脈の並走であると判定することができる。また、吸光度に関する波形ｂが得られたときには、ターゲット血管が、静脈単体であると判定することができる。【００７８】
なお、ターゲット血管が、動脈単体であるか、または動脈と静脈の並走であるかは、吸光度の時間特性を示すグラフのベースラインの高さに基づき判定することが可能である。【００７９】
ここに、図１２は、動脈のみが存在するときと、静脈および動脈が存在するときと、の吸光度を対比して示す線図である。【００８０】
ターゲット血管が、動脈単体であるときと、動脈および静脈の並走であるときと、を比べると、図１２に示すように、動脈および静脈の並走であるときの方が、動脈単体であるときよりも、静脈血の吸光度の分だけベースラインが高くなる（なお、何れにも、ノイズ成分は同じように重畳されている）。従って、ベースラインの高さに基づいて、動脈単体、または動脈と静脈の並走を判定すれば良い。【００８１】
さらに、動脈と静脈との判定を、被検体からの戻り光のスペクトル反射光強度に基づき行うことも可能である。【００８２】
ここに、図１３は、静脈血と動脈血の吸収スペクトルの波長依存性を、ヘモグロビンＨｂおよび２酸化ヘモグロビンＨｂＯ2 の吸収スペクトルの波長依存性と共に示す線図である。【００８３】
この図１３においては、動脈血はＨｂＯ2 とＨｂとの比がＨｂＯ2 ：Ｈｂ＝９５：５となっていて、静脈血はＨｂＯ2 とＨｂとの比がＨｂＯ2 ：Ｈｂ＝７０：３０となっているものとしてモデル化し、吸収スペクトルの波長依存性を示している。【００８４】
スペクトル解析を行うためには、センシング用レーザ光の波長を多波長にする必要があるために、このときには、血管センシング用レーザ光源３１が、例えば、６７０ｎｍ、７８５ｎｍ、９４０ｎｍの３種類の波長のセンシング用レーザ光を各照射する、３種類の半導体レーザ光源を備えるように構成する。【００８５】
このとき、図１３に示すように、動脈血は、６７０ｎｍの波長のセンシング用レーザ光の吸光が、他の波長（７８５ｎｍおよび９４０ｎｍ）のセンシング用レーザ光の吸光よりも低い。さらに、７８５ｎｍの波長のセンシング用レーザ光は、動脈と静脈の吸収特性がほぼ等しくなるが、６７０ｎｍの波長のセンシング用レーザ光は、動脈に比べて静脈の吸収特性が大きくなる。【００８６】
従って、例えばまず、７８５ｎｍの波長のセンシング用レーザ光でレーザドップラ検出を行って、血管が存在するか否かを判定する。【００８７】
ここで血管が存在すると判定した場合には、さらに、例えば６７０ｎｍの波長のセンシング用レーザ光を照射する。そして、７８５ｎｍの波長において検出された反射光強度Ｉ（７８５ｎｍ）と、６７０ｎｍの波長において検出された反射光強度Ｉ（６７０ｎｍ）と、の比Ｉ（６７０ｎｍ）／Ｉ（７８５ｎｍ）を算出する。【００８８】
こうして算出した比Ｉ（６７０ｎｍ）／Ｉ（７８５ｎｍ）が、所定の閾値よりも大きい場合には、ターゲット血管が動脈であると判定する。【００８９】
なお、ここでは、６７０ｎｍの波長のセンシング用レーザ光を用いたが、これに代えて、９４０ｎｍの波長のセンシング用レーザ光を用いても構わない。この場合には、９４０ｎｍの波長のセンシング用レーザ光は、動脈に比べて静脈の吸収特性が小さくなる。そこでここでは、反射光強度の比Ｉ（９４０ｎｍ）／Ｉ（７８５ｎｍ）が、他の所定の閾値よりも小さい場合に、ターゲット血管が動脈であると判定すれば良い。【００９０】
また、判定した血管の種類に応じた、電源装置２から切開デバイス１に供給する電力の変更は、例えば次のように行う。【００９１】
まず、静脈は、動脈に比べて、封止を行うのが困難である。そこで、ターゲット血管が静脈であると判定した場合には、電源装置２から切開デバイス１に供給する電力を高くして、切開デバイス１がより高い封止能力を発揮できるように（より確実に封止できるように）、光筐体３が電源装置２を自動設定する。これにより、術者の判断に依存することなく、効果的な処置を行うことができる（図１に示した矢印Ａ６、Ａ７に関連する図３のステップＳ９の説明参照）。【００９２】
さらに、判定した血管の種類に応じたガイド光の照射は、例えば、図１４および図１５に示すように行う。ここに、図１４は、動脈（または動脈と静脈の並走）を検出して例えば緑色のガイド光をガイド用レーザ光源３２から被検体へ照射したときのモニタ表示の例を示す図、図１５は、静脈を検出して青色のガイド光をガイド用レーザ光源３２から被検体へ照射したときのモニタ表示の例を示す図である。【００９３】
図１４の内視鏡画像ＥＩに示すように、動脈（または動脈と静脈の並走）を検出したときには、例えば緑色（または、赤色〜マゼンタ（Ｍｇ））（ここに、ガイド光の色は、被検体色にマスクされない色調のものを用いる）のガイド光をガイド用レーザ光源３２から被検体へ照射する（図１４）。これにより、センシング用レーザ光の照射領域ＳＬＲは、内視鏡画像ＥＩにおいて、緑色（または、赤色〜マゼンタ（Ｍｇ））の領域として観察される。【００９４】
一方、図１５の内視鏡画像ＥＩに示すように、静脈を検出したときは、青色（このガイド光の色も、上述と同様に、被検体色にマスクされない色調のものを用いる）のガイド光をガイド用レーザ光源３２から被検体へ照射する（図１５）。これにより、センシング用レーザ光の照射領域ＳＬＲは、内視鏡画像ＥＩにおいて、青色の領域として観察される。【００９５】
このようにして、判定した血管の種類に応じた色分け表示が行われる。【００９６】
なお、ここでは、ターゲット血管が、動脈（または動脈と静脈の並走）であるか、あるいは静脈であるか、に応じて色分けしたが、さらに、ガイド用レーザ光源３２内の例えば緑色レーザ光源と青色レーザ光源の発光比率を変化させて、血管の種類に応じた色分け表示を行うようにしても良い。具体例としては、動脈に緑色のガイド光を照射し、動脈と静脈の並走に青緑色のガイド光を照射し、静脈に青色のガイド光を照射して色分け表示する等である。【００９７】
［血管の深さの判定］
図１６および図１７を参照して、血管の深さの判定について説明する。【００９８】
ところで、組織内部における血管の３Ｄ情報があると、切開をどのように進めていけば良いかという治療方針を立て易い。従って、レーザドップラ計測技術を用いて、組織表面からの血管の大体の深さ位置（走行パターン）を把握することは有用である。【００９９】
このために、例えば、センシング用レーザ光の波長を多波長にして、各波長の光の反射光強度に基づいて、血管深さの検出を行う（ただし、単一波長のセンシング用レーザ光を用いて血管深さの検出を行うのを妨げるものではない）。【０１００】
ここに、図１６は、血管センシング用レーザ光源３１として、３波長照射型のレーザ光源を用いた構成例を示す図である。【０１０１】
図１６に示す例では、血管センシング用レーザ光源３１は、例えば、６７０ｎｍのセンシング用レーザ光を発振する第１レーザ光源３１ａと、７８５ｎｍのセンシング用レーザ光を発振する第２レーザ光源３１ｂと、９４０ｎｍのセンシング用レーザ光を発振する第３レーザ光源３１ｃと、の３種類の半導体レーザ光源を備えている。これらのレーザ光源３１ａ，３１ｂ，３１ｃおよびガイド用レーザ光源３２は、何れも、光ファイバ３０を介してレーザ光を被検体へ照射する。そして、戻り光は、光ファイバ３０を介して光検出器３３により検出される。【０１０２】
一般に、光の波長が長いほど、組織深部への光の到達度が高い。従って、例えば、６７０ｎｍ、７８５ｎｍ、および９４０ｎｍの全てにおいて高い反射光強度のドップラ信号が得られた場合には、血管は生体組織の比較的浅い部分に存在していると判定する。【０１０３】
また、６７０ｎｍにおいて低い反射光強度のドップラ信号が得られ、かつ７８５ｎｍおよび９４０ｎｍにおいて高い反射光強度のドップラ信号が得られた場合には、血管は生体組織の中くらいの深さに存在していると判定する。【０１０４】
さらに、９４０ｎｍのみにおいて高い反射光強度の信号が得られた場合には、血管は生体組織の深部に存在すると判定する。【０１０５】
そして、血管の深度の判定結果に応じて、ガイド用レーザ光源３２から照射するガイド光の色を変化させる。例えば、血管が浅いところに存在している場合には赤色〜マゼンタ（Ｍｇ）のガイド光を照射し、中くらいの深さに存在している場合には緑色のガイド光を照射し、深いところに存在している場合には青色のガイド光を照射する、というようにガイド光の色を変化させる。【０１０６】
なお、ガイド用レーザ光源３２内の例えば緑色レーザ光源と青色レーザ光源の発光比率を変化させて、血管の深度に応じた色分け表示を行うようにしても良い。具体例としては、浅い血管に緑色のガイド光を照射し、中位の深さの血管に青緑色のガイド光を照射し、深い血管に青色のガイド光を照射して色分け表示する等である。【０１０７】
次に、図１７は、切開デバイス１のハンドル部１２付近にターゲット血管の深さを設定する操作部材を配置した例を示す図である。【０１０８】
ターゲット血管の深さの判定に関しては、ターゲット血管の特徴の閾値を設定するための操作部材として例えば第１スライド部１５および第２スライド部１６が用いられ、第１ボタン部１３および第２ボタン部１４は電源装置２による電力印加のトリガ信号発生用に用いるようになっている（ただし、第１ボタン部１３と第２ボタン部１４との少なくとも一方を、ターゲット血管の特徴の閾値を設定するための操作部材として用いても構わない）。従って、ターゲット血管の特徴の閾値を設定するための操作部材としては、第１スライド部１５と第２スライド部１６との両方を設ける必要があるわけではなく、少なくとも１つ設けられていれば良い。【０１０９】
この場合に、例えば第１スライド部１５および第２スライド部１６には、血管の深さを示す指標「１ｍｍ」、「３ｍｍ」、「５ｍｍ」が、必要に応じて「Depth」（深さ）の文字と共に記載されている。そして、例えば第１スライド部１５を術者の親指で上下にスライドして（あるいは第２スライド部１６を術者の人差し指で前後にスライドして）何れかの指標の位置に一致させることで、指標により指定される深さの血管（もしくは、指標により指定される深さ（深さの閾値）以上の深さの血管）をセンシングするように医療装置が設定されるようになっている。【０１１０】
なお、血管の深さを示す指標としては、上述したような深さを示す数字に限るものではなく、例えば、「Deep」（深）、「Middle」（中）、「Shallow」（浅）等の文字を用いても構わない。【０１１１】
従って、第１スライド部１５および第２スライド部１６は、操作部であるハンドル部１２に配置され、情報取得部により取得される血管の深さ情報の閾値を変更可能な閾値切換部となっている。【０１１２】
そして、上述したように深さが検出された血管に対して、ガイド用レーザ光源３２によりガイド光を照射してガイド表示を行う場合には、例えば、次のように行う。【０１１３】
血流速に基づいて検出された血管が深くに存在する場合（例：深さ（Depth）≧４ｍｍの場合）には、緑色のガイド光をレーザ光源から被検体へ照射する。一方、血管が比較的浅い領域に存在する場合（例：深さ（Depth）＜４ｍｍの場合）には、青色のガイド光をレーザ光源から被検体へ照射する。【０１１４】
さらに、より深い血管を検出したい場合は、術者がハンドル部１２等を操作してトリガ信号を発生させることで、血管センシング用レーザ光源３１に内蔵されるより波長の長いレーザ光源（例：９４０ｎｍのＬＤ光源）からセンシング用レーザ光が発振されるように医療装置が設定される。【０１１５】
［ガイド光を用いた検出血管の表示方法］
図１８〜図２１を参照して、ガイド光を用いた検出血管の表示方法について説明する。【０１１６】
上述したように検出された血管の特徴、つまり、血管の太さ、血管の種類（動脈／静脈）、血管の深さは、ガイド光を用いて、以下の図１８〜図２１に示すように特定され表示される。【０１１７】
まず、図１８は、動脈に緑色のガイド光を、静脈に青色のガイド光を照射し、さらに、血管の太さが太いほど青または緑の彩度を高くする例を示す図である。【０１１８】
ガイド光として使用することが好ましいのは、生体組織（実質組織、脂肪組織）における反射率が低い波長帯の光、具体的には青色〜緑色の光である。そこで、動脈に対しては緑色のガイド光を、静脈に対しては青色のガイド光を、それぞれ照射する（このとき上述したように、緑色光と青色光の発光比率を変化させることで、「動脈単体で走行」、「静脈単体で走行」、「動脈静脈が並走」の３パターンを色分けして表示しても良い）。これにより、ガイド光が照射された血管を観察したときに、例えば、緑色であれば動脈、青色であれば静脈（あるいは青緑色であれば動脈と静脈の並走）であることが術者に分かる。【０１１９】
このときさらに、図１８に示すように、血管の太さに応じて、ガイド光の彩度を変化させると良い。このガイド光の彩度の変化は、例えば、レーザ光源の発光強度を変化させることで行われる。具体的な適用例としては、血管が太くなる程、ガイド光の彩度が高くなるようにすると良い。従って、ガイド光発振信号送信部４３は、第１または第２の特徴の程度に応じて、第１または第２の波長の報知光のエネルギー密度を変化させるように発光部を制御するものとなっている。これにより、ガイド光が照射された血管を観察したときに、彩度に応じて動脈または静脈の太さを術者が認識することができる。【０１２０】
これらに加えて、ガイド光を用いて、術者が血管の深さも認識できるようにすると良い。例えば、血管が深い場合には通常のガイド光を照射し、血管が深い場合（例えば、血管が４ｍｍよりも深い場合）にはガイド光を点滅させて（つまり、パルス光として）照射する等である。そしてさらに、深さに応じて、点滅速度（パルス周期）を変化させても良い。例えば、血管が深くなる程、点滅速度を速くする、等である（血管が深くに存在するときは、術者がその存在を視認することができないために、レーザを点滅させることで、注意を喚起するようにしている）。この場合には、ガイド光発振信号送信部４３は、第１または第２の特徴の程度に応じて、第１または第２の波長の報知光をパルス光とすると共にパルス周期を変化させるように発光部を制御するものとなる。【０１２１】
また、ガイド光のスポットサイズは、センシング用レーザ光のスポットサイズよりも大きい。具体例としては、ガイド光のスポットサイズは例えば直径３．０ｍｍ、センシング用レーザ光のスポットサイズは例えば直径０．３ｍｍである。【０１２２】
そして、ガイド光を複数回スポット照射して得た画像を画像処理して合成することにより、例えば図１９〜図２１に示すような立体的な表示（３Ｄ表示）を行うと良い。【０１２３】
ここに、図１９は、動脈に沿って緑色のガイド光を複数回照射すると共に、静脈に沿って青色のガイド光を複数回照射して得られた画像を重畳して、動脈および静脈を表示する例を示す左側面図、図２０は、動脈に沿って緑色のガイド光を複数回照射すると共に、静脈に沿って青色のガイド光を複数回照射して得られた画像を重畳して、動脈および静脈を表示する例を示す正面図、図２１は、動脈に沿って緑色のガイド光を複数回照射すると共に、静脈に沿って青色のガイド光を複数回照射して得られた画像を重畳して、動脈および静脈を表示する例を示す平面図である。【０１２４】
この図１９〜図２１には、三面図により血管を立体的に（擬似的な３Dとして）表示する例を示している。これら三面図の内の、図１９に示す左側面図および図２０に示す正面図を見れば、血管が組織表面からどの程度の深さを走行し、深さ方向にどのような変化が生じているかを術者が把握することができる。また、図２０に示す正面図および図２１に示す平面図を見れば、動脈と静脈とがどのような間隔をもって並走しているかを術者が把握することができる。さらに、何れかの図面を見ることで、動脈や静脈の太さを把握することもできる。【０１２５】
また、検出された血管の特徴は、ガイド光を用いてガイド表示するに限るものではなく、これに代えて、あるいはこれに加えて、モニタに血管の特徴（血管の種類、太さ、深さ等）を文字や図形等により表示するようにしても良い。一例を挙げれば、血管の特徴として、血管の種類が動脈であることが検出された場合には、モニタに「Artery」（動脈）と表示する、等である。この場合には、モニタが報知部として機能することになる。さらにあるいは、音声等により、血管の特徴（血管の種類、太さ、深さ等）を告知するようにしても構わない。この場合には、医療装置が音声を発するスピーカ等を備え、このスピーカ等が報知部として機能することになる。【０１２６】
［動脈硬化に対する適用例］
図２２および図２３を参照して、動脈硬化に対する適用例を説明する。【０１２７】
まず、図２２は、コレステロールなどにより血管に動脈硬化の領域が生じ、血流の流速が変化している例を示す図である。【０１２８】
例えば、動脈内にコレステロールなどが蓄積されると、動脈硬化が生じることがある。このような動脈硬化の領域では、管腔が局所的に狭窄しているために、図２２に示すように、動脈硬化となっていない周囲と比べて動脈硬化部分では血流速が速くなる。従って、レーザドップラ検出を行って血流速を測定すれば、動脈硬化領域を把握することができる。【０１２９】
そこで、動脈の血流速をリアルタイムで検出し、検出した血流速に応じ色のガイド光を、図２３に示すように、リアルタイムで動脈へ照射する。ここに図２３は、血流が相対的に速い部分ＲＢＦ（動脈硬化部分）と、血流が相対的に遅い部分ＲＢＳ（動脈硬化以外の部分）と、を異なる色のガイド光で色分けする例を示す図である。【０１３０】
色分けの具体例としては、動脈硬化に対応する部分ＲＢＦに赤色〜マゼンタ（Ｍｇ）または緑色のガイド光を照射し、動脈の動脈硬化以外の部分ＲＢＳに青色のガイド光を照射することが挙げられる。ここに、ガイド光の色は、被検体色にマスクされない色調のものを用いている。なお、血管以外の領域（背景組織ＢＧ）は、ガイド光が照射されないために、例えば腹腔鏡（ラパロ）等の内視鏡観察下においては、通常光観察の色調として表示されることになる。【０１３１】
これにより、内視鏡画像ＥＩを観察することで、動脈硬化が生じている領域をリアルタイムに認識することができ、動脈硬化症の早期発見を行うことができる。【０１３２】
［脳動脈瘤に対する適用例］
図２４〜図３１を参照して、脳動脈瘤に対する適用例を説明する。【０１３３】
まず、図２４は、脳動脈に脳動脈瘤が生じて、脳動脈瘤内に血流が発生している様子を示す図である。【０１３４】
脳動脈に脳動脈瘤が生じると、脳動脈瘤内で血流が滞留する等、周辺の脳動脈と比べて血流が変化することがある。従って、レーザドップラ検出を行って血流速を測定すれば、脳動脈瘤を把握することができる。【０１３５】
そこで、脳動脈の血流速をリアルタイムで検出し、検出した血流速に応じ色のガイド光を、図２５に示すように、リアルタイムで脳動脈へ照射する。ここに図２５は、血流が相対的に遅い部分ＲＢＳ（脳動脈瘤部分）と、血流が相対的に速い部分ＲＢＦ（脳動脈瘤以外の部分）と、を異なる色のガイド光で色分けする例を示す図である。【０１３６】
色分けの具体例としては、脳動脈瘤に対応する血流が相対的に遅い部分ＲＢＳに青色のガイド光を照射し、脳動脈瘤以外の脳動脈に対応する血流が相対的に速い部分ＲＢＦに赤色〜マゼンタ（Ｍｇ）または緑色のガイド光を照射することが挙げられる。ここに、ガイド光の色は、被検体色にマスクされない色調のものを用いている。【０１３７】
これにより、内視鏡画像ＥＩを観察することで、脳動脈瘤が生じている領域をリアルタイムに認識することができる。【０１３８】
また、レーザドップラ検出による血流速の測定および血流速に応じたガイド光の照射は、脳動脈瘤治療の効果を判定するためにも用いることができる。【０１３９】
図２６は、脳動脈瘤にクリッピング処置を行って、脳動脈瘤内における血流が停止している様子を示す図である。【０１４０】
クリップによる脳動脈瘤治療（クリッピング処置）が成功した場合には、脳動脈瘤内の血流は停止するが、脳動脈の血流には変化がない。従って、図２７の内視鏡画像ＥＩに示すように、脳動脈瘤に対応する血流が停止した部分ＲＢＮにはガイド光が照射されず（つまり、通常光観察の色調として表示される）、血流が相対的に速い脳動脈の部分ＲＢＦには赤色〜マゼンタ（Ｍｇ）または緑色の照明光が照射される。ここに、図２７は、クリッピング処置により血流が停止した部分ＲＢＮ（脳動脈瘤部分）と、血流が相対的に速い部分ＲＢＦ（脳動脈瘤以外の部分）と、のガイド光による色分けの例を示す図である。【０１４１】
従って、術者は、図２５に示すような脳動脈瘤の部分ＲＢＳに対してクリッピング処置を行った後に、図２７に示すような内視鏡画像ＥＩが観察された場合には、クリッピング処置が成功したと認識して治療を終了することができる。【０１４２】
次に、図２８は、脳動脈瘤以外の脳動脈にクリッピング処置を行ってしまい、脳動脈に血流が阻害される部分が生じている様子を示す図である。【０１４３】
クリッピングが脳動脈瘤のみに対して行われるのではなく、例えば脳動脈に対して行われた場合には、脳動脈の血流が阻害される状態が生じる。【０１４４】
この場合には、クリッピング処置前に図２５に示すようなガイド表示であったのが、クリッピング処置後には、図２９に示すように、観察範囲内のクリップ位置を中心として動脈の一部もしくは全部にガイド光が照射されないガイド表示に変化する。ここに、図２９は、クリッピング処置により血流が停止した部分ＲＢＮ（脳動脈瘤部分および血流が阻害された脳動脈）と、血流が相対的に速い部分ＲＢＦ（血流が阻害されていない脳動脈）と、のガイド光による色分けの例を示す図である。【０１４５】
従って、術者は、図２５に示すような脳動脈瘤の部分ＲＢＳに対してクリッピング処置を行った後に、図２９に示すような内視鏡画像ＥＩが観察された場合には、クリッピング処置が失敗したと判断して、再度のクリッピング処置を行うようにすれば良い。【０１４６】
さらに、図３０は、脳動脈瘤へのクリッピング処置が不十分であるために、脳動脈瘤内に血流が残っている様子を示す図である。【０１４７】
脳動脈瘤へのクリッピング処置が不十分であって、脳動脈瘤内に血流が残っている場合には、図３１の脳動脈瘤の部分ＲＢＳ’に示すように、ガイド光が照射されたままである（ただし、血流速に応じて彩度を変化させた場合には、彩度が異なることがある）。ここに、図３１は、不十分なクリッピング処置により遅い血流が残っている部分ＲＢＳ’（脳動脈瘤部分）と、血流が相対的に速い部分ＲＢＦ（脳動脈瘤以外の部分）と、のガイド光による色分けの例を示す図である。【０１４８】
従って、術者は、図２５に示すような脳動脈瘤の部分ＲＢＳに対してクリッピング処置を行った後に、図３１に示すような内視鏡画像ＥＩが観察された場合には、クリッピング処置が不十分であると判断して、再度のクリッピング処置を行うようにすれば良い。【０１４９】
なお、従来より、超音波ドップラにより脳動脈瘤を検出することが行われているが、超音波を被検体に伝達するには超音波プローブを被検体に接触させる必要がある。これに対して、レーザドップラにより脳動脈瘤を検出する本技術では、センシング用レーザ光を用いているために非接触で被検体に光を送り込んで観察することができ、超音波を用いる従来技術よりも操作性に優れている。【０１５０】
［センシング用レーザ光］
図３２〜図３４を参照して、センシング用レーザ光の発振操作や照射方向について説明する。【０１５１】
まず、図３２は、切開デバイスのハンドル部付近における、センシング用レーザ光を発振させるための操作部材の配置の一例を示す図である。【０１５２】
ハンドル部１２における第１ハンドル１２ａの基端部の挿入方向側には第１ボタン部１３が、第１ハンドル１２ａの先端部の第２ハンドル１２ｂ側には第２ボタン部１４が、第１ハンドル１２ａおよび第２ハンドル１２ｂを支持する本体の第２ハンドル１２ｂよりも手元側の側面には第１操作部１７が、第１ハンドル１２ａおよび第２ハンドル１２ｂを支持する本体の上面には第２操作部１８が、それぞれ設けられている。第１操作部１７は、回転操作式のダイヤル部１７ａ、あるいは押圧操作式の押し部１７ｂなどとして構成されている。また、第２操作部１８は、例えば押圧操作式の押し部として構成されている。【０１５３】
そして、図３２に示すダイヤル部１７ａ、押し部１７ｂ、第２操作部１８、第１ボタン部１３の何れかを操作することにより、血管センシング用レーザ光源３１からセンシング用レーザ光が発振されるように構成されている。なお、術者がフットスイッチを踏むことでも前記と同様に血管センシング用レーザ光源３１からセンシング用レーザ光が発振されるようにしても良い。【０１５４】
また、光ファイバ３０の先端から照射されるセンシング用レーザ光（あるいはガイド光）は、図３３に示すような切開デバイス１の挿入部１０の軸方向と平行に出力される構成であっても良い。あるいは、図３４に示すように、把持部となっている処置部１１を構成する下ジョー１１ｂに光反射物体１９ａを配置するとともに、上ジョー１１ａに光検出器１９ｂを配置して、下ジョー１１ｂから上ジョー１１ａへセンシング用レーザ光（あるいはガイド光）を送信して受光するように構成しても構わない。【０１５５】
ここに、図３３は、切開デバイスの先端部からセンシング用レーザ光を軸方向に出力する例を示す図、図３４は、切開デバイスの先端部の下ジョーから上ジョーへ向けてセンシング用レーザ光を出力する例を示す図である。【０１５６】
このような実施形態によれば、血管に関するより詳細な情報、つまり、血管の存在だけでなく血管の太さや深さ、動脈／静脈に関する情報をリアルタイムに術者へ提供するようにしたために、腹腔鏡手術などの医療の安全性や簡便性を向上させることができる。【０１５７】
このとき、血管の特徴に応じたガイド用レーザ光を照射する場合には、内視鏡画像において、どの血管がどのような特徴を有しているかを視覚的に認識することができるために、術者にとっての利便性が高く、より一層、安全性も向上させることができる。【０１５８】
さらに、取得した情報を電源装置２へフィードバックさせて切開デバイス１の最適な出力設定を行うようにしたために、腹腔鏡手術などの医療の安全性や簡便性をさらに向上することができる。【０１５９】
例えば腹腔鏡手術を行っている最中に目視が困難な血管が存在することをリアルタイムで術者に知らせるだけでなく、さらに血管の特徴（血管の種類、太さ、深さ等）をリアルタイムで知らせることができるために、従来よりも術中出血の頻度が軽減されて、安全な腹腔鏡手術を行うことができる。【０１６０】
また、脈動（拍動）の有無により、例えば胆嚢動脈と胆嚢管とを見分けることができる。あるいは、走行にバリエーションがあるために発見し難い中結腸動脈を、より容易に発見することが可能となる。【０１６１】
そして、検出する血管の太さをハンドル部１２の操作部により変更可能であるために、例えば毛細血管を検出対象としないように調整することができる。こうした閾値の変更機能は、毛細血管が豊富な肝臓や脾臓に対して、高い効果を奏する。【０１６２】
血管特徴判定回路４２で特定された血管の特徴に基づいて、電源装置２をフィードバック制御するようにしたために、術者の手動設定を要することなく電源装置２の出力を最適化することができる。【０１６３】
なお、上述した各部は、回路として構成されていても良い。そして、任意の回路は、同一の機能を果たすことができれば、単一の回路として実装されていても良いし、複数の回路を組み合わせたものとして実装されていても構わない。さらに、任意の回路は、目的とする機能を果たすための専用回路として構成されるに限るものではなく、汎用回路に処理プログラムを実行させることで目的とする機能を果たす構成であっても構わない。【０１６４】
また、上述では主として医療装置について説明したが、医療装置を上述したように作動させる医療装置の作動方法であっても良いし、コンピュータに医療装置と同様の処理を行わせるための処理プログラム、該処理プログラムを記録するコンピュータにより読み取り可能な一時的でない記録媒体、等であっても構わない。【０１６５】
さらに、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明の態様を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。【０１６６】
［付記］
以上詳述したような本発明の上記実施形態によれば、以下のごとき構成を得ることができる。【０１６７】
（付記項Ａ１）  被検体の組織を切開する操作を行う操作部を有する処置デバイスと、
前記被検体の血管を検出するための照明光を照射する照明部と、
前記照明部により照射された前記照明光の前記被検体からの戻り光のスペクトルを検出して、前記スペクトルに基づき前記照明光が前記被検体に照射される照射領域における前記血管の特徴としての前記血管の太さ情報を取得する情報取得部と、
前記操作部に配置され、前記情報取得部により取得される前記血管の太さ情報の閾値を変更可能な閾値切換部と、
を有することを特徴とする医療機器。【０１６８】
（付記項Ａ２）  被検体の組織を切開する操作を行う操作部を有する処置デバイスと、
前記被検体の血管を検出するための照明光を照射する照明部と、
前記照明部により照射された前記照明光の前記被検体からの戻り光のスペクトルを検出して、前記スペクトルに基づき前記照明光が前記被検体に照射される照射領域における前記血管の特徴としての前記血管の深さ情報を取得する情報取得部と、
前記操作部に配置され、前記情報取得部により取得される前記血管の深さ情報の閾値を変更可能な閾値切換部と、
を有することを特徴とする医療機器。【０１６９】
（付記項Ａ３）  被検体の組織を切開する操作を行う操作部を有する処置デバイスと、
前記被検体の血管を検出するための照明光を照射する照明部と、
前記照明部により照射された前記照明光の前記被検体からの戻り光のスペクトルを検出して、前記スペクトルに基づき前記照明光が前記被検体に照射される照射領域における前記血管が動脈と静脈との何れであるかを示す前記血管の特徴としての前記血管の種類情報を取得する情報取得部と、
前記操作部に配置され、前記情報取得部により取得される前記血管の種類情報の閾値を変更可能な閾値切換部と、
を有することを特徴とする医療機器。【０１７０】
（付記項Ａ４）  被検体の組織を切開する操作を行う操作部を有する処置デバイスと、
前記被検体の血管を検出するための照明光を照射する照明部と、
前記照明部により照射された前記照明光の前記被検体からの戻り光のスペクトルを検出して、前記スペクトルに基づき前記照明光が前記被検体に照射される照射領域における前記血管の特徴として、前記血管の太さ情報と、前記血管の深さ情報と、前記血管が動脈と静脈との何れであるかを示す前記血管の種類情報と、の内の少なくとも１つを取得する情報取得部と、
前記操作部に配置され、前記情報取得部により取得される、前記血管の特徴の閾値を変更可能な閾値切換部と、
を有し、
前記閾値切換部は、前記情報取得部により取得される前記血管の特徴を、前記血管の太さ情報と、前記血管の深さ情報と、前記血管の種類情報と、の内の少なくとも１つの特徴を含む第１の特徴から、前記血管の太さ情報と、前記血管の深さ情報と、前記血管の種類情報と、の内の少なくとも１つの特徴を含み、前記第１の特徴とは完全同一でない第２の特徴に切り換えることを特徴とする医療機器。【０１７１】
（付記項Ａ５）  前記操作部は、前記処置デバイスを操作する手で保持するためのハンドル部を有し、
前記閾値切換部は、前記ハンドル部を保持する手により操作可能な位置に設けられていることを特徴とする付記項Ａ１〜Ａ４の何れか一項に記載の処置デバイス。【０１７２】
（付記項Ｂ１）  血管を有する被検体からの光の周波数スペクトルを示す情報が入力される入力部と、
前記入力部に入力された前記周波数スペクトルを示す情報の時間変動を監視して、前記時間変動が所定の閾値を越えた場合に、閾値越えとして検出する変動監視部と、
前記変動監視部により前記閾値越えが検出された場合に、前記血管が動脈であることを示す情報を出力し、前記閾値越えが検出されない場合に、前記血管が静脈であることを示す情報を出力する出力部と、
を有することを特徴とするプロセッサ。【０１７３】
本出願は、２０１５年４月２１日に日本国に出願された特願２０１５−８６９７７号を優先権主張の基礎として出願するものであり、上記の開示内容は、本願明細書、請求の範囲、図面に引用されたものとする。
【図１】
2016170897.tif 000003
【図２】
2016170897.tif 000004
【図３】
2016170897.tif 000005
【図４】
2016170897.tif 000006
【図５】
2016170897.tif 000007
【図６】
2016170897.tif 000008
【図７】
2016170897.tif 000009
【図８】
2016170897.tif 000010
【図９】
2016170897.tif 000011
【図１０】
2016170897.tif 000012
【図１１】
2016170897.tif 000013
【図１２】
2016170897.tif 000014
【図１３】
2016170897.tif 000015
【図１４】
2016170897.tif 000016
【図１５】
2016170897.tif 000017
【図１６】
2016170897.tif 000018
【図１７】
2016170897.tif 000019
【図１８】
2016170897.tif 000020
【図１９】
2016170897.tif 000021
【図２０】
2016170897.tif 000022
【図２１】
2016170897.tif 000023
【図２２】
2016170897.tif 000024
【図２３】
2016170897.tif 000025
【図２４】
2016170897.tif 000026
【図２５】
2016170897.tif 000027
【図２６】
2016170897.tif 000028
【図２７】
2016170897.tif 000029
【図２８】
2016170897.tif 000030
【図２９】
2016170897.tif 000031
【図３０】
2016170897.tif 000032
【図３１】
2016170897.tif 000033
【図３２】
2016170897.tif 000034
【図３３】
2016170897.tif 000035
【図３４】
2016170897.tif 000036
【手続補正書】
【提出日】平成28年7月13日(2016.7.13)
【手続補正１】
【補正対象書類名】明細書
【補正対象項目名】００１１
【補正方法】変更
【補正の内容】
【００１１】
本発明のある態様による医療装置は、被検体の体腔内に挿入される挿入物に接続され、前記被検体の血管を検出するための照明光を照射する照明部と、前記照明部により照射された前記照明光の前記被検体の体腔内からの戻り光を検出する検出部と、前記検出部の検出結果に基づき、前記血管中の血球の散乱情報と前記血管中の血液による吸収情報との少なくとも一方を算出する算出部と、前記算出部の算出結果に基づき前記血管の特徴を判定する判定部と、前記判定部により判定された前記血管の特徴に基づき、前記被検体内における前記照明光が照射される照射領域を含む照射近傍領域に対して報知光を照射することにより報知を行う報知部と、を有している。
【手続補正２】
【補正対象書類名】明細書
【補正対象項目名】００１２
【補正方法】変更
【補正の内容】
【００１２】
本発明のある態様による医療装置の作動方法は、被検体の体腔内に挿入される挿入物に接続される照明部が、前記被検体の血管を検出するための照明光を照射するステップと、検出部が、前記照明部により照射された前記照明光の前記被検体の体腔内からの戻り光を検出するステップと、算出部が、前記検出部の検出結果に基づき、前記血管中の血球の散乱情報と前記血管中の血液による吸収情報との少なくとも一方を算出するステップと、判定部が、前記算出部の算出結果に基づき前記血管の特徴を判定するステップと、報知部が、前記判定部により判定された前記血管の特徴に基づき、前記被検体内における前記照明光が照射される照射領域を含む照射近傍領域に対して報知光を照射することにより報知を行うステップと、を有する方法である。
【手続補正３】
【補正対象書類名】特許請求の範囲
【補正対象項目名】全文
【補正方法】変更
【補正の内容】
【特許請求の範囲】
【請求項１】
被検体の体腔内に挿入される挿入物に接続され、前記被検体の血管を検出するための照明光を照射する照明部と、
前記照明部により照射された前記照明光の前記被検体の体腔内からの戻り光を検出する検出部と、
前記検出部の検出結果に基づき、前記血管中の血球の散乱情報と前記血管中の血液による吸収情報との少なくとも一方を算出する算出部と、
前記算出部の算出結果に基づき前記血管の特徴を判定する判定部と、
前記判定部により判定された前記血管の特徴に基づき、前記被検体内における前記照明光が照射される照射領域を含む照射近傍領域に対して報知光を照射することにより報知を行う報知部と、
を有することを特徴とする医療装置。
【請求項２】
前記算出部が前記散乱情報を算出する場合には、該算出部は、前記戻り光の周波数スペクトルを解析し、さらに前記周波数スペクトルから前記血管内の血球の流れる速度に関するパラメータを前記散乱情報として算出し、
前記判定部は、前記算出部により算出された前記パラメータに基づき、前記血管の太さと、前記血管が動脈と静脈との何れであるかと、前記血管の前記被検体における深さと、の内の少なくとも１つを、前記血管の特徴として判定することを特徴とする請求項１に記載の医療装置。
【請求項３】
前記判定部は、前記血管の特徴を複数判定し、
前記報知部は、前記判定部により判定された複数の前記血管の特徴の組み合わせに応じて、複数の報知態様による報知を組み合わせて行うことを特徴とする請求項２に記載の医療装置。
【請求項４】
前記報知部は、
前記報知光として第１の波長の報知光及び前記第１の波長とは異なる第２の波長の報知光を選択的に発生可能な発光部と、
前記判定部により判定された前記血管の特徴が第１の特徴である場合に、第１の報知方法として前記第１の波長の報知光を発光するように前記発光部を制御し、前記判定部により判定された前記血管の特徴が前記第１の特徴とは異なる第２の特徴である場合に、前記第１の報知方法とは異なる第２の報知方法として前記第２の波長の報知光を発光するように前記発光部を制御する制御部と、
を有することを特徴とする請求項１に記載の医療装置。
【請求項５】
前記制御部は、前記第１または第２の特徴の程度に応じて、前記第１または第２の波長の報知光のエネルギー密度を変化させるように前記発光部を制御することを特徴とする請求項４に記載の医療装置。
【請求項６】
前記制御部は、前記第１または第２の特徴の程度に応じて、前記第１または第２の波長の報知光をパルス光とすると共にパルス周期を変化させるように前記発光部を制御することを特徴とする請求項４に記載の医療装置。
【請求項７】
前記発光部は、前記第１の波長の報知光として青色の光を発生し、前記第２の波長の報知光として緑色の光を発生することを特徴とする請求項４に記載の医療装置。
【請求項８】
前記被検体の組織を切開可能な処置デバイスと、
前記処置デバイスの近傍に設けられ、前記報知光を照射可能とする光ファイバと、
をさらに有することを特徴とする請求項１に記載の医療装置。
【請求項９】
血管封止能力が異なる複数の動作モードで動作可能な処置デバイスと、
前記判定部により判定された前記血管の特徴に応じて、前記処置デバイスの動作モードを切り換えるように制御する制御部と、
をさらに有することを特徴とする請求項１に記載の医療装置。
【請求項１０】
前記算出部は、前記血管内の血球の流れる速度に関するパラメータとして、前記周波数スペクトルの強度の積分値、または前記周波数スペクトルの傾き、または前記周波数スペクトルの平均周波数を算出することを特徴とする請求項２に記載の医療装置。
【請求項１１】
前記処置デバイスに配置され、前記検出部における検出レベルの閾値を変更可能に設定する閾値切換部をさらに有することを特徴とする請求項８に記載の医療装置。
【請求項１２】
前記制御部が前記青色の光または前記緑色の光を複数回照射するように前記発光部を制御し、
前記検出部が検出した戻り光から得られた画像を重畳処理する信号処理装置をさらに有することを特徴とする請求項７に記載の医療装置。
【請求項１３】
被検体の体腔内に挿入される挿入物に接続される照明部が、前記被検体の血管を検出するための照明光を照射するステップと、
検出部が、前記照明部により照射された前記照明光の前記被検体の体腔内からの戻り光を検出するステップと、
算出部が、前記検出部の検出結果に基づき、前記血管中の血球の散乱情報と前記血管中の血液による吸収情報との少なくとも一方を算出するステップと、
判定部が、前記算出部の算出結果に基づき前記血管の特徴を判定するステップと、
報知部が、前記判定部により判定された前記血管の特徴に基づき、前記被検体内における前記照明光が照射される照射領域を含む照射近傍領域に対して報知光を照射することにより報知を行うステップと、
を有することを特徴とする医療装置の作動方法。
【手続補正書】
【提出日】平成28年12月26日(2016.12.26)
【手続補正２】
【補正対象書類名】明細書
【補正対象項目名】０００１
【補正方法】変更
【補正の内容】
【０００１】
本発明は、照明光の戻り光から血管に関連する情報を取得する医療装置に関する。
【手続補正３】
【補正対象書類名】明細書
【補正対象項目名】００１０
【補正方法】変更
【補正の内容】
【００１０】
本発明は上記事情に鑑みてなされたものであり、血管に関するより詳細な情報を取得して、医療の安全性や簡便性を向上させることができる医療装置を提供することを目的としている。
【手続補正４】
【補正対象書類名】明細書
【補正対象項目名】００１２
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
被検体の体腔内に挿入される挿入物に接続され、前記被検体の血管を検出するための照明光を照射する照明部と、
前記照明部により照射された前記照明光の前記被検体の体腔内からの戻り光を検出する検出部と、
前記検出部の検出結果に基づき、前記血管中の血球の散乱情報と前記血管中の血液による吸収情報との少なくとも一方を算出する算出部と、
前記算出部の算出結果に基づき前記血管の特徴を判定する判定部と、
前記判定部により判定された前記血管の特徴に基づき、前記被検体内における前記照明光が照射される照射領域を含む照射近傍領域に対して報知光を照射することにより報知を行う報知部と、
を有することを特徴とする医療装置。
【請求項２】
前記算出部が前記散乱情報を算出する場合には、該算出部は、前記戻り光の周波数スペクトルを解析し、さらに前記周波数スペクトルから前記血管内の血球の流れる速度に関するパラメータを前記散乱情報として算出し、
前記判定部は、前記算出部により算出された前記パラメータに基づき、前記血管の太さと、前記血管が動脈と静脈との何れであるかと、前記血管の前記被検体における深さと、の内の少なくとも１つを、前記血管の特徴として判定することを特徴とする請求項１に記載の医療装置。
【請求項３】
前記判定部は、前記血管の特徴を複数判定し、
前記報知部は、前記判定部により判定された複数の前記血管の特徴の組み合わせに応じて、複数の報知態様による報知を組み合わせて行うことを特徴とする請求項２に記載の医療装置。
【請求項４】
前記報知部は、
前記報知光として第１の波長の報知光及び前記第１の波長とは異なる第２の波長の報知光を選択的に発生可能な発光部と、
前記判定部により判定された前記血管の特徴が第１の特徴である場合に、第１の報知方法として前記第１の波長の報知光を発光するように前記発光部を制御し、前記判定部により判定された前記血管の特徴が前記第１の特徴とは異なる第２の特徴である場合に、前記第１の報知方法とは異なる第２の報知方法として前記第２の波長の報知光を発光するように前記発光部を制御する制御部と、
を有することを特徴とする請求項１に記載の医療装置。
【請求項５】
前記制御部は、前記第１または第２の特徴の程度に応じて、前記第１または第２の波長の報知光のエネルギー密度を変化させるように前記発光部を制御することを特徴とする請求項４に記載の医療装置。
【請求項６】
前記制御部は、前記第１または第２の特徴の程度に応じて、前記第１または第２の波長の報知光をパルス光とすると共にパルス周期を変化させるように前記発光部を制御することを特徴とする請求項４に記載の医療装置。
【請求項７】
前記発光部は、前記第１の波長の報知光として青色の光を発生し、前記第２の波長の報知光として緑色の光を発生することを特徴とする請求項４に記載の医療装置。
【請求項８】
前記被検体の組織を切開可能な処置デバイスと、
前記処置デバイスの近傍に設けられ、前記報知光を照射可能とする光ファイバと、
をさらに有することを特徴とする請求項１に記載の医療装置。
【請求項９】
血管封止能力が異なる複数の動作モードで動作可能な処置デバイスと、
前記判定部により判定された前記血管の特徴に応じて、前記処置デバイスの動作モードを切り換えるように制御する制御部と、
をさらに有することを特徴とする請求項１に記載の医療装置。
【請求項１０】
前記算出部は、前記血管内の血球の流れる速度に関するパラメータとして、前記周波数スペクトルの強度の積分値、または前記周波数スペクトルの傾き、または前記周波数スペクトルの平均周波数を算出することを特徴とする請求項２に記載の医療装置。
【請求項１１】
前記処置デバイスに配置され、前記検出部における検出レベルの閾値を変更可能に設定する閾値切換部をさらに有することを特徴とする請求項８に記載の医療装置。
【請求項１２】
前記制御部が前記青色の光または前記緑色の光を複数回照射するように前記発光部を制御し、
前記検出部が検出した戻り光から得られた画像を重畳処理する信号処理装置をさらに有することを特徴とする請求項７に記載の医療装置。
【国際調査報告】
2016170897.tif 000037
2016170897.tif 000038
2016170897.tif 000039
2016170897.tif 000040